(57)【要約】【課題】構造を複雑にすることなく、空気の吹出方向の切り替えを可能とした浴室空調装置を提供する。【解決手段】浴室空調装置１Ａは、空気を吸い込んで吹き出す循環・換気ファン部２を備える。循環・換気ファン部２は、吸い込んだ空気を循環吹出口９から吹き出すか、排気口１０から排気するかを切り替える風路・風向切替ダンパ１２を備える。風路・風向切替ダンパ１２は、軸１３ａを支点に回転することで、風路・風向切替ダンパ１２の傾斜角度に応じて循環吹出口９から吹き出す空気の吹出方向を変化させるルーバとしての機能も有する。【選択図】        図１
2007071402.tif 000002
【特許請求の範囲】
【請求項１】
室内の天井に設置される空調装置において、
前記室内に面して配置され、空気が吹き出される吹出口と、
屋外へとつながる排気経路が接続される排気口と、
空気を吸い込んで吹き出す給気手段と、
前記給気手段から吹き出される空気を、前記吹出口から吹き出すか、前記排気口から屋外へ排気するかを切り替えると共に、前記吹出口から吹き出す空気の吹出方向を切り替える風路・風向切替手段と
を備えたことを特徴とする空調装置。
【請求項２】
前記風路・風向切替手段は、風路を切り替える風路切替部と、吹き出す風向を切り替える風向切替部とを備えた
ことを特徴とする請求項１記載の空調装置。
【請求項３】
前記風路・風向切替手段は、空気が前記排気口へ漏れることを防止する漏れ防止手段を備えた
ことを特徴とする請求項１記載の空調装置。
【請求項４】
前記風路・風向切替手段は、前記風向切替部に空気が前記排気口へ漏れることを防止する漏れ防止手段を備えた
ことを特徴とする請求項２記載の空調装置。
【請求項５】
前記風路・風向切替手段によって前記排気口への風路を閉じて、前記吹出口から空気を吹き出す第１の運転モードと、
前記風路・風向切替手段によって前記吹出口への風路を閉じて、前記排気口から空気を排気する第２の運転モードと、
前記風路・風向切替手段によって空気の吹出方向を連続的または断続的に切り替えながら、前記吹出口から空気を吹き出す第３の運転モードを選択して実行する制御手段を備えた
ことを特徴とする請求項１〜４に何れか記載の空調装置。
【請求項６】
前記第１の運転モードは、前記室内を暖房する暖房運転モードであり、
前記第２の運転モードは、少なくとも前記室内を換気する換気運転モードであり、
前記第３の運転モードは、前記室内の被乾燥物を乾燥させる乾燥運転モードである
ことを特徴とする請求項５記載の空調装置。
【請求項７】
前記風路・風向切替手段により切り替えられる前記吹出口からの空気の吹き出し方向が、前記室内に取り付けられる物干し部材の長手方向に沿った方向となるように設置される
ことを特徴とする請求項１〜６に何れか記載の空調装置。
【請求項８】
他の室内とつながる吸込経路が接続される副吸込口と、
少なくとも前記副吸込口から空気を吸い込んで、前記排気口へと吹き出す換気手段とを備えた
ことを特徴とする請求項１〜７に何れか記載の空調装置。
【請求項９】
本空調装置が設置される前記室内に面して配置され、空気が吸い込まれる単一の吸込口を備え、
前記換気手段を、前記風路・風向切替手段によって形成される前記給気手段から前記排気口までの換気風路に配置して、前記給気手段と前記換気手段で前記吸込口を兼用した
ことを特徴とする請求項８記載の空調装置。
【発明の詳細な説明】
【技術分野】
【０００１】
本発明は、浴室、洗面脱衣所等のサニタリー空間等の室内に設置される空調装置に関する。詳しくは、装置内の風路の切り替えと、空気の吹出方向の切り替えを単一の部品で行うことで、構成を複雑にすることなく、空気の吹出方向の切り替えが行えるようにしたものである。
【背景技術】
【０００２】
従来より、浴室に温風を吹き出して、暖房や洗濯物等の乾燥を行う機能を備えた浴室用の空調装置が提供されている。浴室空調装置は、浴室内の空気を循環させながら暖房等を行うと共に、浴室内の空気を屋外へ排気して換気を行うため、浴室から吸い込んだ空気を浴室へ吹き出して循環させる循環風路と、浴室から吸い込んだ空気を屋外へ排気する換気風路を備えると共に、風路を切り替えるダンパを備えて、単一のファン部で空気の循環と換気を行えるようにした浴室空調装置が従来より提案されている。
【０００３】
また、空気の吹出方向を、電動ルーバによって浴槽方向と洗い場方向に切り替えられるようにした浴室空調装置も提案されている（例えば、特許文献１参照）。
【０００４】
【特許文献１】特許第３１５７４９４号公報
【発明の開示】
【発明が解決しようとする課題】
【０００５】
しかし、従来の浴室空調装置では、空気の吹出方向を切り替えられるようにするためには、風路を切り替えるための部品であるダンパ及びダンパを駆動する部品と、空気の吹出方向を切り替えるための部品であるルーバ及びルーバを駆動する部品が必要となる。
【０００６】
これにより、部品点数が多くなり、構造が複雑になると共に、装置の小型化が困難で、製品コストも高くなるという問題がある。
【０００７】
本発明は、このような課題を解決するためになされたもので、構造を複雑にすることなく、空気の吹出方向の切り替えを可能とした空調装置を提供することを目的とする。
【課題を解決するための手段】
【０００８】
上述した課題を解決するため、本発明の空調装置は、室内の天井に設置される空調装置において、室内に面して配置され、空気が吹き出される吹出口と、屋外へとつながる排気経路が接続される排気口と、空気を吸い込んで吹き出す給気手段と、給気手段から吹き出される空気を、吹出口から吹き出すか、排気口から屋外へ排気するかを切り替えると共に、吹出口から吹き出す空気の吹出方向を切り替える風路・風向切替手段とを備えたことを特徴とする。
【０００９】
本発明の空調装置では、給気手段で室内から空気が吸い込まれる。風路・風向切替手段によって排気口への風路を閉じると、吹出口から空気が吹き出され、室内の暖房等が行われる。
【００１０】
また、風路・風向切替手段によって吹出口への風路を閉じると、排気口から空気が屋外へ排気され、室内の換気が行われる。
【００１１】
更に、風路・風向切替手段によって空気の吹出方向を連続的または断続的に切り替えると、室内の広い範囲に空気が吹き出され、室内の被乾燥物の乾燥等が行われる。
【発明の効果】
【００１２】
本発明の空調装置によれば、装置内の風路の切り替えと、空気の吹出方向の切り替えを単一の部品で行えるようにしたので、部品点数を増やすことなく、空気の吹出方向を切り替える機能を搭載できる。よって、空気の吹出方向を切り替える機能を搭載しても、構造が複雑になることはなく、装置の小型化が可能であると共に、製品コストも下げることができる。
【００１３】
そして、空気の吹出方向を切り替えられることで、室内の広い範囲に空気を吹き出すことが可能となり、室内の被乾燥物を乾燥させる場合、短時間で乾燥を完了させることができる。
【発明を実施するための最良の形態】
【００１４】
以下、図面を参照して本発明の空調装置としての浴室空調装置の実施の形態について説明する。
【００１５】
＜第１の実施の形態の浴室空調装置の構成例＞
図１及び図２は第１の実施の形態の浴室空調装置の一例を示す構成図で、図１（ａ）は第１の実施の形態の浴室空調装置１Ａを下面側から見た平面図、図１（ｂ）は図１（ａ）のＡ−Ａ断面図である。また、図２はフロントパネルを取り付けた状態の平面図である。
【００１６】
第１の実施の形態の浴室空調装置１Ａは、浴室空調装置１Ａが設置される空間である浴室の空気を吸い込んで浴室に吹き出すと共に、屋外へ排気する循環・換気ファン部２と、循環・換気ファン部２が取り付けられる本体部３Ａを備える。循環・換気ファン部２は給気手段の一例で、回転軸の向きを鉛直方向とした多翼の羽根車４と、羽根車４を回転駆動する循環・換気ファンモータ５と、風路を形成する循環・換気ファンケース６を備える。
【００１７】
本体部３Ａは、下面が開口した鉄等の金属製のケースの内部に循環・換気ファン部２が取り付けられる。本体部３Ａは、下面の形状が長方形であり、循環・換気ファン部２は、羽根車４が本体部３Ａの長手方向の一方の側に偏って配置される。
【００１８】
循環・換気ファンケース６は、羽根車４の軸方向に沿った下面を開口して循環・換気ファン吸込口７を備える。また、循環・換気ファンケース６は、羽根車４が回転することによる空気の吹出方向を、羽根車４の接線方向で、かつ本体部３Ａの長手方向に沿った方向に規制する吹出風路形成部８を備える。
【００１９】
浴室空調装置１Ａは、循環・換気ファンケース６の吹出風路形成部８と連通した循環吹出口９を、循環・換気ファン部２の下面に備える。循環吹出口９は吹出口の一例で、本体部３Ａの長手方向の他方の側に偏って配置される。
【００２０】
また、浴室空調装置１Ａは、吹出風路形成部８と連通した排気口１０を、循環・換気ファン部２の側部に備える。排気口１０は、本体部３Ａの長手方向の他方の側面に形成され、本体部３Ａは、排気口１０に排気ダクトジョイント１１が取り付けられる。
【００２１】
浴室空調装置１Ａは、循環吹出口９と排気口１０との間で風路を切り替えると共に、循環吹出口９から吹き出される空気の吹出方向を切り替える風路・風向切替ダンパ１２を備える。風路・風向切替ダンパ１２は風路・風向切替手段の一例で、ダンパモータ１３の軸１３ａに取り付けられ、軸１３ａを支点に回転する。
【００２２】
風路・風向切替ダンパ１２の軸１３ａは、循環・換気ファン部２による空気の吹出方向に対して直交する向きで、風路・風向切替ダンパ１２は、軸１３ａを挟んで空気の流れる方向の手前側に第１ダンパ部１２ａを備えると共に、先端側に第２ダンパ部１２ｂを備える。
【００２３】
また、第２ダンパ部１２ｂは、軸１３ａを挟んで第１ダンパ部１２ａから連続した第２ダンパ連通部１２ｂ１と、第２ダンパ連通部１２ｂ１の先端とつながり、軸１３ａを支点とした風路・風向切替ダンパ１２の回転の軌跡に沿った形状を有した第２ダンパ先端部１２ｂ２とを備える。
【００２４】
風路・風向切替ダンパ１２は、軸１３ａを支点に回転することで、主に第１ダンパ部１２ａが循環吹出口９と排気口１０の開閉動作を行って、循環風路１４ａと換気風路１４ｂの切り替えを行う。
【００２５】
また、風路・風向切替ダンパ１２は、軸１３ａを支点に回転することで、風路・風向切替ダンパ１２の主に第２ダンパ部１２ｂの傾斜角度に応じて、循環吹出口９から吹き出す空気の吹出方向が変化する。
【００２６】
すなわち、浴室空調装置１Ａは、風路・風向切替ダンパ１２の位置を、図１に実線で示すように第１ダンパ部１２ａが排気口１０を閉じる循環位置とすると、循環吹出口９が開いて、循環・換気ファン吸込口７から循環吹出口９へ連通した循環風路１４ａが形成される。
【００２７】
また、浴室空調装置１Ａは、風路・風向切替ダンパ１２の位置を、図１に一点鎖線で示すように第１ダンパ部１２ａが循環吹出口９を閉じる換気位置とすると、排気口１０が開いて、循環・換気ファン吸込口７から排気口１０へ連通した換気風路１４ｂが形成される。
【００２８】
更に、浴室空調装置１Ａは、風路・風向切替ダンパ１２の位置を、図１に二点鎖線で示す循環位置と換気位置の間の循環換気位置とすると、循環吹出口９と排気口１０の双方が開いて、循環風路１４ａと換気風路１４ｂの双方が形成される。
【００２９】
これにより、風路・風向切替ダンパ１２の第１ダンパ部１２ａは、主に風路を切り替える機能を有して風路切替部を構成する。
【００３０】
また、浴室空調装置１Ａは、風路・風向切替ダンパ１２の位置を、図１に実線で示す循環位置から、例えば図１に二点鎖線で示す循環換気位置までの間で往復させると、風路・風向切替ダンパ１２の第２ダンパ部１２ｂを構成する第２ダンパ連通部１２ｂ１の傾斜角度に応じて、循環吹出口９から吹き出す空気の吹出方向が変化する。
【００３１】
これにより、風路・風向切替ダンパ１２の第２ダンパ部１２ｂを構成する第２ダンパ連通部１２ｂ１は、ルーバ機能を有して風向切替部を構成する。
【００３２】
更に、浴室空調装置１Ａは、風路・風向切替ダンパ１２の位置を循環位置とすると、第２ダンパ部１２ｂを構成する第２ダンパ先端部１２ｂ２が、循環吹出口９の排気口１０とつながる部分の開口を塞ぐ。
【００３３】
これにより、風路・風向切替ダンパ１２の第２ダンパ部１２ｂを構成する第２ダンパ先端部１２ｂ２は、後述する暖房運転時等に、循環吹出口９から吹き出す空気等が、排気口１０から漏れることを防止する漏れ防止手段を構成する。
【００３４】
なお、漏れ防止手段としては、漏れを完全に防止する機能のみならず、漏れを抑制する機能も含むものである。
【００３５】
浴室空調装置１Ａは、循環・換気ファン部２の吹出風路形成部８にヒータ１５を備える。ヒータ１５は加熱手段の一例で、例えばＰＴＣヒータで構成され、ヒータ１５に通電されると、ヒータ１５が加熱されることで吹出風路形成部８を通る空気が加熱される。
【００３６】
そして、風路・風向切替ダンパ１２が、図１に実線で示す循環位置から、図１に二点鎖線で示す循環換気位置までの間に位置して循環風路１４ａが形成されていると、循環吹出口９から温風が吹き出す。
【００３７】
浴室空調装置１Ａは、本体部３Ａの下面にフロントパネル１６を備える。フロントパネル１６は、循環・換気ファン部２のファン吸込口７の下面を開口して吸込口グリル１６ａが形成されると共に、循環吹出口９の下面を開口して吹出口グリル１６ｂが形成される。
【００３８】
＜第１の実施の形態の浴室空調装置の設置例＞
図３は浴室空調装置１Ａの設置例を示す浴室の構成図である。まず、浴室空調装置１Ａが設置される浴室５１の構成について説明すると、浴室５１は、浴槽５２と洗い場５３を備える。浴槽５２は一般的に長方形であり、浴槽５２と洗い場５３は、浴槽５２の短手方向に沿って並んでいる。
【００３９】
浴室５１は、浴槽５２の上部に物干し部材であるランドリパイプ５４を備える。ランドリパイプ５４は、浴槽５２の長手方向に沿って延び、浴室５１の対向する壁面パネル５５に取り付けられる。ここで、ランドリパイプ５４の取付位置は、例えば、浴槽５２と洗い場５３の中間付近である。
【００４０】
なお、物干し部材であるランドリパイプは、洗濯物等の被乾燥物が乾燥できるようになっていれば、パイプ状の部材に限らず、紐状であっても良く、他のものであっても良い。
【００４１】
浴室空調装置１Ａは、浴室５１の天井パネル５６に設置される。浴室５１の天井パネル５６には、浴槽５２の上部に浴室空調装置１Ａの本体部３Ａが取り付けられる開口部が形成され、浴室空調装置１Ａは、例えば、本体部３Ａが図示しないアンカーボルト等で浴室５１の天井裏に吊り下げられる形態で、天井パネル５６に取り付けられる。そして、浴室空調装置１Ａは、本体部３Ａの下面にフロントパネル１６が取り付けられ、フロントパネル１６の吸込口グリル１６ａと吹出口グリル１６ｂが、浴室５１内に面する。
【００４２】
なお、浴室５１の天井パネル５６に設置された浴室空調装置１Ａは、本体部３Ａの排気ダクトジョイント１１に排気経路を構成する排気ダクト５７が取り付けられる。排気ダクト５７は、浴室５１が設置される図示しない建物の外壁に取り付けられる屋外グリル５７ａと接続され、浴室空調装置１Ａは、排気ダクト５７を介して屋外とつながっている。
【００４３】
次に、浴室空調装置１Ａを設置する向きについて、図１〜図３を参照して説明する。浴室空調装置１Ａは、上述したように、本体部３Ａの下面の形状が長方形であり、本体部３Ａの向きが、浴槽５２の長手方向に沿う向きとして、浴槽５２の上部に設置される。
【００４４】
これにより、浴室空調装置１Ａは、風路・風向切替ダンパ１２を可動させることにより、吹出口グリル１６ｂからの空気の吹出方向が、ランドリパイプ５４の長手方向に沿って変化する。
【００４５】
ここで、吹出口グリル１６ｂからの空気の吹出方向は、ランドリパイプ５４に直交する向きでは、吹出口グリル１６ｂに備えた整流板により一方向に固定され、本例では、ランドリパイプ５４を経て洗い場５３方向に空気が吹き出されるように構成される。
【００４６】
なお、浴室空調装置１Ａは、本体部３Ａの向きを浴槽５２の長手方向に直交する向きとして設置すると、風路・風向切替ダンパ１２を可動させることにより、吹出口グリル１６ｂからの空気の吹出方向が、浴槽５２と洗い場５３方向で切り替えられることになる。
【００４７】
＜第１の実施の形態の浴室空調装置の制御機能例＞
図４は第１の実施の形態の浴室空調装置１Ａの制御系の一例を示す機能ブロック図である。
【００４８】
浴室空調装置１Ａは、ＣＰＵやメモリ等で構成される制御部６１Ａに、操作部６２と、図１で説明した循環・換気ファンモータ５と、ダンパモータ１３と、ヒータ１５等が接続される。
【００４９】
制御部６１Ａは制御手段の一例で、図示しないメモリ等に格納されたプログラムに従って、例えば暖房運転モード、換気運転モード、乾燥運転モード及び涼風運転モードを実行する。これら運転モードは、入浴者等の利用者が操作部６２を操作すること等により選択され、制御部６１Ａは、選択された運転モードを実行するプログラムに従い循環・換気ファンモータ５、ダンパモータ１３及びヒータ１５等を制御する。
【００５０】
操作部６２は、浴室空調装置１Ａの本体部３Ａと独立したリモートコントロール装置で、例えば浴室５１に隣接した洗面所５８の壁面等に取り付けられ、本体部３Ａに実装される制御部６１Ａとは例えば電気ケーブルで接続される。
【００５１】
＜第１の実施の形態の浴室空調装置の動作例＞
次に、第１の実施の形態の浴室空調装置１Ａの動作を各図を参照して説明する。浴室空調装置１Ａの制御部６１Ａは、操作部６２における操作で暖房運転モードが選択されると、ダンパモータ１３を駆動して、風路・風向切替ダンパ１２を図１に実線で示す循環位置にする。
【００５２】
そして、循環・換気ファンモータ５を駆動して羽根車４を回転させると共に、ヒータ１５に通電する。
【００５３】
浴室空調装置１Ａは、羽根車４が回転すると、フロントパネル１６の吸込口グリル１６ａから、浴室５１の空気が循環・換気ファン吸込口７へと吸い込まれる。
【００５４】
暖房運転モードでは、風路・風向切替ダンパ１２が循環位置にあるので、循環・換気ファン部２では、循環・換気ファン吸込口７から循環吹出口９へ連通した循環風路１４ａが形成されている。
【００５５】
これにより、羽根車４が回転することで循環・換気ファン吸込口７から吸い込まれた浴室５１の空気は、循環風路１４ａによって循環吹出口９へと流れる。ヒータ１５は、循環風路１４ａを形成する吹出風路形成部８に備えられ、暖房運転モードではヒータ１５に通電されているので、循環吹出口９へと流れる空気はヒータ１５によって加熱され、図４（ｂ）に矢印Ｈ１で示すように、吹出口グリル１６ｂから洗い場５３に向けて温風が吹き出される。
【００５６】
従って、暖房運転モードでは、浴室５１内の空気を循環させながら浴室５１内を暖房して、温度を上げることができる。また、温風の吹き出し方向が洗い場５３方向であるので、洗い場５３の床面を温めることができ、入浴者が浴室５１に入った際に、足元が冷たく感じることを防ぐことができる。
【００５７】
浴室空調装置１Ａの制御部６１Ａは、操作部６２における操作で換気運転モードが選択されると、ダンパモータ１３を駆動して、風路・風向切替ダンパ１２を図１に一点鎖線で示す換気位置にする。そして、循環・換気ファンモータ５を駆動して羽根車４を回転させる。なお、換気運転モードでは、ヒータ１５には通電しない。
【００５８】
浴室空調装置１Ａは、羽根車４が回転すると、上述したように、フロントパネル１６の吸込口グリル１６ａから、浴室５１の空気が循環・換気ファン吸込口７へと吸い込まれる。
【００５９】
換気運転モードでは、風路・風向切替ダンパ１２が換気位置にあるので、循環・換気ファン部２では、循環・換気ファン吸込口７から排気口１０へ連通した換気風路１４ｂが形成されている。
【００６０】
これにより、羽根車４が回転することで循環・換気ファン吸込口７から吸い込まれた浴室５１の空気は、換気風路１４ｂによって排気口１０へと流れ、排気口１０に取り付けられた排気ダクトジョイント１１を介して接続される排気ダクト５７を通って屋外グリル５７ａから屋外へ排気される。また、浴室５１内の空気が屋外に排出されることで、図３に示す浴室ドア５９等に設けた空気取入口５９ａから、隣接する室内である洗面所５８等の空気が吸い込まれる。
【００６１】
従って、換気運転モードでは、浴室５１内の湯気や湿気を排出して結露等を抑制し、カビの発生を抑えることができる。
【００６２】
浴室空調装置１Ａの制御部６１Ａは、操作部６２における操作で乾燥運転モードが選択されると、ダンパモータ１３を駆動して、風路・風向切替ダンパ１２を図１に実線で示す循環位置から、二点鎖線で示す循環換気位置までの間で往復させる。
【００６３】
そして、循環・換気ファンモータ５を駆動して羽根車４を回転させると共に、ヒータ１５に通電する。
【００６４】
浴室空調装置１Ａは、羽根車４が回転すると、上述したように、フロントパネル１６の吸込口グリル１６ａから、浴室５１の空気が循環・換気ファン吸込口７へと吸い込まれる。
【００６５】
乾燥運転モードでは、風路・風向切替ダンパ１２が循環位置と循環換気位置の間で往復しているので、循環・換気ファン部２部では、循環・換気ファン吸込口７から循環吹出口９へ連通した循環風路１４ａと、循環・換気ファン吸込口７から排気口１０へ連通した換気風路１４ｂの双方が形成されている。
【００６６】
これにより、羽根車４が回転することで循環・換気ファン吸込口７から吸い込まれた浴室５１の空気の一部は、循環風路１４ａによって循環吹出口９へと流れ、ヒータ１５によって加熱されて、吹出口グリル１６ｂから吹き出される。
【００６７】
そして、風路・風向切替ダンパ１２が循環位置と循環換気位置の間で往復しているので、風路・風向切替ダンパ１２の傾斜角度に応じて、循環吹出口９から吹き出す空気の吹出方向が変化して、図４（ａ）に矢印Ｈ２で示すように、吹出口グリル１６ｂからランドリパイプ５４の長手方向に沿って広範囲に温風が吹き出される。
【００６８】
また、乾燥運転モードでは、羽根車４が回転することで循環・換気ファン吸込口７から吸い込まれた浴室５１の空気の残部は、換気風路１４ｂによって排気口１０へと流れ、排気ダクト５７を通って屋外グリル５７ａから屋外へ排気される。また、浴室５１内の空気が屋外に排出されることで、浴室ドア５９の空気取入口５９ａ等から、洗面所５８の空気が吸い込まれる。
【００６９】
従って、乾燥運転モードでは、浴室５１内に温風を吹き出して、ランドリパイプ５４に掛けられた洗濯物を乾燥させることができる。そして、風路・風向切替ダンパ１２を可動させることで、ランドリパイプ５４の長手方向に沿って温風が吹き出されるので、ランドリパイプ５４のどの場所に掛けられた洗濯物Ｓに対しても温風を当てることができ、多くの洗濯物Ｓに温風が当たることで、乾燥時間を短縮することができる。
【００７０】
また、浴室５１内の空気の一部は屋外に排気されて換気が行われるので、湿気等を排出して、洗濯物の乾燥を促進することができる。
【００７１】
ここで、乾燥運転モード時の風路・風向切替ダンパ１２の動作は、可動範囲において連続して往復運動をしても良いし、可動範囲を任意に分割して、移動と停止を繰り返す断続的な往復運動をしても良い。
【００７２】
浴室空調装置１Ａの制御部６１Ａは、操作部６２における操作で涼風運転モードが選択されると、ダンパモータ１３を駆動して、風路・風向切替ダンパ１２を図１に二点鎖線で示す循環換気位置にする。
【００７３】
そして、循環・換気ファンモータ５を駆動して羽根車４を回転させる。なお、涼風運転モードでは、ヒータ１５には通電しない。
【００７４】
浴室空調装置１Ａは、羽根車４が回転すると、上述したように、フロントパネル１６の吸込口グリル１６ａから、浴室５１の空気が循環・換気ファン吸込口７へと吸い込まれる。
【００７５】
涼風運転モードでは、風路・風向切替ダンパ１２が循環換気位置にあるので、循環・換気ファン部２では、循環・換気ファン吸込口７から循環吹出口９へ連通した循環風路１４ａと循環・換気ファン吸込口７から排気口１０へ連通した換気風路１４ｂの双方が形成されている。
【００７６】
これにより、羽根車４が回転することで循環・換気ファン吸込口７から吸い込まれた浴室５１の空気の一部は、循環風路１４ａによって循環吹出口９へと流れる。涼風運転モードでは、ヒータ１５に通電されないので、吹出口グリル１６ｂから、浴室５１内の温度に応じた風（涼風）が洗い場５３に向けて吹き出される。
【００７７】
また、涼風運転モードでは、羽根車４が回転することで循環・換気ファン吸込口７から吸い込まれた浴室５１の空気の残部は、換気風路１４ｂによって排気口１０へと流れ、排気ダクト５７を通って屋外グリル５７ａから屋外へ排気される。また、浴室５１内の空気が屋外に排出されることで、浴室ドア５９の空気取入口５９ａ等から、浴室５１に隣接した洗面所５８の空気が吸い込まれる。
【００７８】
従って、涼風運転モードでは、洗い場５３に向けて涼風を吹き出すことで、洗い場５３に居る入浴者に涼風を当てて、夏季等に扇風機として利用することができる。また、浴室５１内の空気の一部は屋外に排気されて換気が行われるので、湿気等を排出することができる。
【００７９】
なお、涼風運転モードでは、風路・風向切替ダンパ１２を循環位置として、換気を行わずに浴室５１内で循環させる空気で涼風の吹き出しを行っても良い。また、風路・風向切替ダンパ１２を循環位置と循環換気位置の間で往復させて、広範囲に涼風を吹き出すようにしても良い。
【００８０】
＜第１の実施の形態の浴室空調装置の効果＞
以上説明した第１の実施の形態の浴室空調装置１Ａでは、循環と換気で風路を切り替えるダンパの機能と、空気の吹出方向を切り替えるルーバの機能を、単一の風路・風向切替ダンパ１２で実現したので、部品点数を削減して、製品のコストダウンを図ることができる。
【００８１】
そして、空気の吹出方向が切り替えられることで、浴室５１内の広い範囲に空気を吹き出すことが可能となり、乾燥運転モードでは、短時間で洗濯物の乾燥を完了させることができ、乾燥性能が向上する。
【００８２】
＜第２の実施の形態の浴室空調装置の構成例＞
図５及び図６は第２の実施の形態の浴室空調装置の一例を示す構成図で、図５（ａ）は第２の実施の形態の浴室空調装置１Ｂを下面側から見た平面図、図５（ｂ）は図５（ａ）のＢ−Ｂ断面図である。
【００８３】
第２の実施の形態の浴室空調装置１Ｂは、浴室空調装置１Ｂが設置される空間である浴室の空気を吸い込んで浴室に吹き出すと共に、屋外へ排気する循環・換気ファン部２と、浴室及び浴室以外の空間の空気を吸い込んで屋外へ排気する換気ファン部１７と、循環・換気ファン部２及び換気ファン部１７が取り付けられる本体部３Ｂを備える。循環・換気ファン部２は、回転軸の向きを鉛直方向とした多翼の羽根車４と、羽根車４を回転駆動する循環・換気ファンモータ５と、風路を形成する循環・換気ファンケース６を備える。
【００８４】
本体部３Ｂは、下面が開口した鉄等の金属製のケースの内部に、循環・換気ファン部２を下側にして、循環・換気ファン部２と換気ファン部１７を上下に重ねる配置で取り付けられる。本体部３Ｂは、下面の形状が長方形であり、循環・換気ファン部２は、羽根車４が本体部３Ｂの長手方向の一方の側に偏って配置される。
【００８５】
循環・換気ファンケース６は、羽根車４の軸方向に沿った下面を開口して循環・換気ファン吸込口７を備える。また、循環・換気ファンケース６は、羽根車４が回転することによる空気の吹出方向を、羽根車４の接線方向で、かつ本体部３Ａの長手方向に沿った方向に規制する吹出風路形成部８を備える。
【００８６】
浴室空調装置１Ｂは、循環・換気ファンケース６の吹出風路形成部８と連通した循環吹出口９を、循環・換気ファン部２の下面に備える。循環吹出口９は、本体部３Ａの長手方向の他方の側に偏って配置される。
【００８７】
また、浴室空調装置１Ｂは、吹出風路形成部８と連通した排気吹出口１８を、循環・換気ファンケース６の上面に備える。
【００８８】
換気ファン部１７は換気手段の一例で、回転軸の向きを鉛直方向とした多翼の羽根車１９と、羽根車１９を回転駆動する換気ファンモータ２０と、風路を形成する換気ファンケース２１を備える。
【００８９】
換気ファンケース２１は、羽根車１９の軸方向に沿った下面を開口して換気ファン吸込口２２を備える。また、換気ファンケース２１は、羽根車１９が回転することによる空気の吹出方向を、羽根車１９の接線方向で、かつ本体部３Ｂの長手方向に沿った方向に規制する吹出風路形成部２３を備える。
【００９０】
浴室空調装置１Ｂは、吹出風路形成部２３と連通した排気口２４を、換気ファン部１７の側部に備える。排気口２４は、本体部３Ｂの長手方向の他方の側面に形成され、本体部３Ｂは、排気口２４に排気ダクトジョイント１１が取り付けられる。
【００９１】
また、浴室空調装置１Ｂは、排気口２４の形成面以外の本体部３Ｂの側面に副吸込口２５が形成され、副吸込口２５に副吸込ダクトジョイント２６が取り付けられる。
【００９２】
更に、浴室空調装置１Ｂは、本体部３内で循環・換気ファン部２の上側に、副吸込口２５と換気ファン吸込口２２を連通させた副吸込風路２７が形成される。
【００９３】
浴室空調装置１Ｂは、循環吹出口９と排気吹出口１８との間で風路を切り替えると共に、循環吹出口９から吹き出される空気の吹出方向を切り替える風路・風向切替ダンパ１２を備える。風路・風向切替ダンパ１２は、ダンパモータ１３の軸１３ａに取り付けられ、軸１３ａを支点に回転する。
【００９４】
風路・風向切替ダンパ１２の軸１３ａは、循環・換気ファン部２による空気の吹出方向に対して直交する向きで、風路・風向切替ダンパ１２は、軸１３ａを挟んで空気の流れる方向の手前側に第１ダンパ部１２ａを備えると共に、先端側に第２ダンパ部１２ｂを備える。
【００９５】
また、第２ダンパ部１２ｂは、軸１３ａを挟んで第１ダンパ部１２ａから連続した第２ダンパ連通部１２ｂ１と、第２ダンパ連通部１２ｂ１の先端とつながり、軸１３ａを支点とした風路・風向切替ダンパ１２の回転の軌跡に沿った形状を有した第２ダンパ先端部１２ｂ２とを備える。
【００９６】
風路・風向切替ダンパ１２は、軸１３ａを支点に回転することで、主に第１ダンパ部１２ａが循環吹出口９と排気吹出口１８の開閉動作を行って、循環風路１４ａと換気風路１４ｂの切り替えを行う。
【００９７】
また、風路・風向切替ダンパ１２は、軸１３ａを支点に回転することで、風路・風向切替ダンパ１２の主に第２ダンパ部１２ｂの傾斜角度に応じて、循環吹出口９から吹き出す空気の吹出方向が変化する。
【００９８】
すなわち、浴室空調装置１Ｂは、風路・風向切替ダンパ１２の位置を、図５に実線で示すように第１ダンパ部１２ａが排気吹出口１８を閉じる循環位置とすると、循環吹出口９が開いて、循環・換気ファン吸込口７から循環吹出口９へ連通した循環風路１４ａが形成される。
【００９９】
また、浴室空調装置１Ｂは、風路・風向切替ダンパ１２の位置を、図５に一点鎖線で示すように第１ダンパ部１２ａが循環吹出口９を閉じる換気位置とすると、排気吹出口１８が開く。そして、循環・換気ファン吸込口７から排気吹出口１８を通り、換気ファン部１７の換気ファン吸込口２２から、吹出風路形成部２３によって形成される風路を通り排気口２４へ連通した換気風路１４ｂが形成される。
【０１００】
ここで、循環・換気ファン吸込口７からの換気風路１４ｂと、副吸込口２５からの副吸込風路２７は、換気ファン部１７の換気ファン吸込口２２で合流する。
【０１０１】
更に、浴室空調装置１Ｂは、風路・風向切替ダンパ１２の位置を、図５に二点鎖線で示す循環位置と換気位置の間の循環換気位置とすると、循環吹出口９と排気吹出口１８の双方が開いて、循環風路１４ａと換気風路１４ｂの双方が形成される。
【０１０２】
これにより、風路・風向切替ダンパ１２の第１ダンパ部１２ａは、主に風路を切り替える機能を有して風路切替部を構成する。
【０１０３】
また、浴室空調装置１Ｂは、風路・風向切替ダンパ１２の位置を、図５に実線で示す循環位置から、例えば図５に二点鎖線で示す循環換気位置までの間で往復させると、風路・風向切替ダンパ１２の第２ダンパ部１２ｂを構成する第２ダンパ連通部１２ｂ１の傾斜角度に応じて、循環吹出口９から吹き出す空気の吹出方向が変化する。
【０１０４】
これにより、風路・風向切替ダンパ１２の第２ダンパ部１２ｂを構成する第２ダンパ連通部１２ｂ１は、ルーバ機能を有して風向切替部を構成する。
【０１０５】
更に、浴室空調装置１Ｂは、風路・風向切替ダンパ１２の位置を循環位置とすると、第２ダンパ部１２ｂを構成する第２ダンパ先端部１２ｂ２が、循環吹出口９の排気口１０とつながる部分の開口を塞ぐ。
【０１０６】
これにより、風路・風向切替ダンパ１２の第２ダンパ部１２ｂを構成する第２ダンパ先端部１２ｂ２は、後述する暖房運転時等に、循環吹出口９から吹き出す空気等が、排気口１０から漏れることを防止する漏れ防止手段を構成する。
【０１０７】
なお、ここでも、漏れ防止手段としては、漏れを完全に防止する機能のみならず、漏れを抑制する機能も含むものである。
【０１０８】
浴室空調装置１Ｂは、循環・換気ファン部２の吹出風路形成部８にヒータ１５を備える。ヒータ１５は例えばＰＴＣヒータで構成され、ヒータ１５に通電されると、ヒータ１５が加熱されることで吹出風路形成部８を通る空気が加熱される。
【０１０９】
そして、風路・風向切替ダンパ１２が、図５に実線で示す循環位置から、図５に二点鎖線で示す循環換気位置までの間に位置して循環風路１４ａが形成されていると、循環吹出口９から温風が吹き出す。
【０１１０】
浴室空調装置１Ｂは、本体部３Ｂの下面にフロントパネル１６を備える。フロントパネル１６は、図２に示す第１の実施の形態の浴室空調装置１Ａのフロントパネルと同じ構成であり、循環・換気ファン部２のファン吸込口７の下面を開口して吸込口グリル１６ａが形成されると共に、循環吹出口９の下面を開口して吹出口グリル１６ｂが形成される。
【０１１１】
第２の実施の形態の浴室空調装置１Ｂでは、循環・換気ファン部２と換気ファン部１７を備えているが、上述したように、循環・換気ファン部２で吸い込んだ浴室の空気を、換気ファン部１７を通して排気する構成として、浴室に面した吸込口グリル１６ａは１個としている。
【０１１２】
＜第２の実施の形態の浴室空調装置の設置例＞
図６は浴室空調装置１Ｂの設置例を示す浴室の構成図である。浴室５１は、上述したように、浴槽５２と洗い場５３を備え、浴槽５２と洗い場５３の中間付近の浴槽５２の上部に、ランドリパイプ５４が取り付けられている。
【０１１３】
浴室空調装置１Ｂは、浴室５１の天井パネル５６に設置される。浴室５１の天井パネル５６には、浴槽５２の上部に浴室空調装置１Ｂの本体部３Ｂが取り付けられる開口部が形成され、浴室空調装置１Ｂは、例えば、本体部３Ｂが図示しないアンカーボルト等で浴室５１の天井裏に吊り下げられる形態で、天井パネル５６に取り付けられる。そして、浴室空調装置１Ｂは、本体部３Ｂの下面にフロントパネル１６が取り付けられ、フロントパネル１６の吸込口グリル１６ａと吹出口グリル１６ｂが、浴室５１内に面する。
【０１１４】
なお、浴室５１の天井パネル５６に設置された浴室空調装置１Ｂは、本体部３Ｂの排気ダクトジョイント１１に排気ダクト５７が取り付けられる。排気ダクト５７は、浴室５１が設置される図示しない建物の外壁に取り付けられる屋外グリル５７ａと接続され、浴室空調装置１Ｂは、排気ダクト５７を介して屋外とつながっている。
【０１１５】
また、浴室空調装置１Ｂは、副吸込口２５に取り付けられた副吸込ダクトジョイント２６に吸込経路を構成する副吸込ダクト６０が接続され、副吸込ダクト６０は、例えば洗面所５８に設置された副吸込口グリル６０ａに接続されて、洗面所５８から空気を吸い込める構成となっている。
【０１１６】
次に、浴室空調装置１Ｂを設置する向きについて、図５，図６を参照して説明する。浴室空調装置１Ｂは、上述したように、本体部３Ｂの下面の形状が長方形であり、本体部３Ｂの向きが、浴槽５２の長手方向に沿う向きとして、浴槽５２の上部に設置される。
【０１１７】
これにより、浴室空調装置１Ｂでも、風路・風向切替ダンパ１２を可動させることにより、吹出口グリル１６ｂからの空気の吹出方向が、ランドリパイプ５４の長手方向に沿って変化する。
【０１１８】
なお、浴室空調装置１Ｂは、本体部３Ｂの向きを浴槽５２の長手方向に直交する向きとして設置すると、風路・風向切替ダンパ１２を可動させることにより、吹出口グリル１６ｂからの空気の吹出方向が、浴槽５２と洗い場５３方向で切り替えられることになる。
【０１１９】
＜第２の実施の形態の浴室空調装置の制御機能例＞
図７は第２の実施の形態の浴室空調装置１Ｂの制御系の一例を示す機能ブロック図である。
【０１２０】
浴室空調装置１Ｂは、ＣＰＵやメモリ等で構成される制御部６１Ｂに、操作部６２と、図５で説明した循環・換気ファンモータ５と、換気ファンモータ２０と、ダンパモータ１３と、ヒータ１５等が接続される。
【０１２１】
制御部６１Ｂは制御手段の一例で、図示しないメモリ等に格納されたプログラムに従って、例えば暖房運転モード、換気運転モード、乾燥運転モード及び涼風運転モードを実行する。これら運転モードは、入浴者等の利用者が操作部６２を操作すること等により選択され、制御部６１Ｂは、選択された運転モードを実行するプログラムに従い循環・換気ファンモータ５、換気ファンモータ２０、ダンパモータ１３及びヒータ１５等を制御する。
【０１２２】
操作部６２は、浴室空調装置１Ｂの本体部３Ｂと独立したリモートコントロール装置で、例えば浴室５１に隣接した洗面所５８の壁面等に取り付けられる。
【０１２３】
＜第２の実施の形態の浴室空調装置の動作例＞
次に、第２の実施の形態の浴室空調装置１Ｂの動作を各図を参照して説明する。浴室空調装置１Ｂの制御部６１Ｂは、操作部６２における操作で暖房運転モードが選択されると、ダンパモータ１３を駆動して、風路・風向切替ダンパ１２を図５に実線で示す循環位置にする。
【０１２４】
そして、循環・換気ファンモータ５を駆動して羽根車４を回転させると共に、ヒータ１５に通電する。なお、暖房運転モードでは、換気ファンモータ２０は駆動しない。
【０１２５】
浴室空調装置１Ｂは、羽根車４が回転すると、フロントパネル１６の吸込口グリル１６ａから、浴室５１の空気が循環・換気ファン吸込口７へと吸い込まれる。
【０１２６】
暖房運転モードでは、風路・風向切替ダンパ１２が循環位置にあるので、浴室空調装置１Ｂでは、循環・換気ファン吸込口７から循環吹出口９へ連通した循環風路１４ａが形成されている。
【０１２７】
これにより、羽根車４が回転することで循環・換気ファン吸込口７から吸い込まれた浴室５１の空気は、循環風路１４ａによって循環吹出口９へと流れる。暖房運転モードではヒータ１５に通電されているので、循環吹出口９へと流れる空気はヒータ１５によって加熱され、図６（ｂ）に矢印Ｈ１で示すように、吹出口グリル１６ｂから洗い場５３に向けて温風が吹き出される。
【０１２８】
従って、暖房運転モードでは、浴室５１内の空気を循環させながら浴室５１内を暖房して、温度を上げることができる。また、温風の吹き出し方向を洗い場５３方向としてあるので、洗い場５３の床面を温めることができ、入浴者が浴室５１に入った際に、足元が冷たく感じることを防ぐことができる。
【０１２９】
浴室空調装置１Ｂの制御部６１Ｂは、操作部６２における操作で換気運転モードが選択されると、ダンパモータ１３を駆動して、風路・風向切替ダンパ１２を図５に一点鎖線で示す換気位置にする。そして、循環・換気ファンモータ５を駆動して羽根車４を回転させると共に、換気ファンモータ２０を駆動して羽根車１９を回転させる。なお、換気運転モードでは、ヒータ１５には通電しない。
【０１３０】
浴室空調装置１Ｂは、循環・換気ファン部２の羽根車４が回転すると、上述したように、フロントパネル１６の吸込口グリル１６ａから、浴室５１の空気が循環・換気ファン吸込口７へと吸い込まれる。
【０１３１】
また、浴室空調装置１Ｂは、換気ファン部１７の羽根車１９が回転すると、換気ファン吸込口２２から空気が吸い込まれる。
【０１３２】
さて、換気運転モードでは、風路・風向切替ダンパ１２が換気位置にあるので、浴室空調装置１Ｂでは、循環・換気ファン吸込口７から排気吹出口１８へ連通した換気風路１４ｂが形成されている。
【０１３３】
これにより、循環・換気ファン部２の羽根車４が回転することで循環・換気ファン吸込口７から吸い込まれた浴室５１の空気は、排気吹出口１８を通り、換気ファン部１７の羽根車１９が回転することで換気ファン吸込口２２へと吸い込まれる。そして、排気ファン吸込口２２と連通した排気口２４に取り付けられた排気ダクトジョイント１１を介して接続される排気ダクト５７を通って屋外グリル５７ａから屋外へ排気される。
【０１３４】
また、浴室５１内の空気が屋外に排出されることで、図６に示す浴室ドア５９等に設けた空気取入口５９ａから、隣接する室内である洗面所５８等の空気が吸い込まれる。
【０１３５】
更に、換気ファン部１７の羽根車１９が回転することで、副吸込口グリル６０ａから副吸込口ダクト６０を介して副吸込口２５へ洗面所５８の空気が吸い込まれ、排気風路１４ｂを流れる空気と合流して屋外へ排気される。
【０１３６】
従って、換気運転モードでは、浴室５１内の湯気や湿気を排出して結露等を抑制し、カビの発生を抑えることができる。
【０１３７】
ここで、副吸込口２５に取り付けられる副吸込ダクトジョイント２６に図示しないダンパを備えることで、洗面所５８からの空気の吸い込みを停止した換気運転モードも実行可能である。
【０１３８】
また、風路・風向切替ダンパ１２の位置を循環位置として排気吹出口１８を閉じ、循環・換気ファンモータ５を停止させて、浴室５１からの空気の吸い込みを停止した換気運転モードも実行可能である。
【０１３９】
更に、風路・風向切替ダンパ１２の位置を循環位置として排気吹出口１８を閉じ、循環・換気ファンモータ５を駆動すると共に、ヒータ１５に通電を行い、循環・換気ファン部２では浴室５１の暖房を行うと共に、換気ファン部１７では洗面所５８からの換気を行う２４時間換気運転モードも実行可能である。
【０１４０】
浴室空調装置１Ｂの制御部６１Ｂは、操作部６２における操作で乾燥運転モードが選択されると、ダンパモータ１３を駆動して、風路・風向切替ダンパ１２を図５に実線で示す循環位置から、二点鎖線で示す循環換気位置までの間で往復させる。
【０１４１】
そして、循環・換気ファンモータ５を駆動して羽根車４を回転させると共に、ヒータ１５に通電する。更に、換気ファンモータ２０を駆動して羽根車１９を回転させる。
【０１４２】
浴室空調装置１Ｂは、循環・換気ファン部２の羽根車４が回転すると、上述したように、フロントパネル１６の吸込口グリル１６ａから、浴室５１の空気が循環・換気ファン吸込口７へと吸い込まれる。
【０１４３】
乾燥運転モードでは、風路・風向切替ダンパ１２が循環位置と循環換気位置の間で往復しているので、循環・換気ファン吸込口７から循環吹出口９へ連通した循環風路１４ａと、循環・換気ファン吸込口７から排気口２４へ連通した換気風路１４ｂの双方が形成されている。
【０１４４】
これにより、循環・換気ファン部２の羽根車４が回転することで循環・換気ファン吸込口７から吸い込まれた浴室５１の空気の一部は、循環風路１４ａによって循環吹出口９へと流れ、ヒータ１５によって加熱されて、吹出口グリル１６ｂから吹き出される。
【０１４５】
そして、風路・風向切替ダンパ１２が循環位置と循環換気位置の間で往復しているので、風路・風向切替ダンパ１２の傾斜角度に応じて、循環吹出口９から吹き出す空気の吹出方向が変化して、図６（ａ）に矢印Ｈ２で示すように、吹出口グリル１６ｂからランドリパイプ５４の長手方向に沿って広範囲に温風が吹き出される。
【０１４６】
また、乾燥運転モードでは、循環・換気ファン部２の羽根車４が回転することで循環・換気ファン吸込口７から吸い込まれた浴室５１の空気の残部は、排気吹出口１８を通り、換気ファン部１７の羽根車１９が回転することで換気ファン吸込口２２へと吸い込まれる。そして、排気口２４に取り付けられた排気ダクトジョイント１１を介して接続される排気ダクト５７を通って屋外グリル５７ａから屋外へ排気される。
【０１４７】
また、浴室５１内の空気が屋外に排出されることで、図６に示す浴室ドア５９等に設けた空気取入口５９ａから、隣接する室内である洗面所５８等の空気が吸い込まれる。
【０１４８】
更に、換気ファン部１７の羽根車１９が回転することで、副吸込口グリル６０ａから副吸込口ダクト６０を介して副吸込口２５へ洗面所５８の空気が吸い込まれ、排気風路１４ｂを流れる空気と合流して屋外へ排気される。
【０１４９】
従って、乾燥運転モードでは、浴室５１内に温風を吹き出して、ランドリパイプ５４に掛けられた洗濯物を乾燥させることができる。そして、風路・風向切替ダンパ１２を可動させることで、ランドリパイプ５４の長手方向に沿って温風が吹き出されるので、ランドリパイプ５４のどの場所に掛けられた洗濯物Ｓに対しても温風を当てることができ、多くの洗濯物Ｓに温風が当たることで、乾燥時間を短縮することができる。
【０１５０】
また、浴室５１内の空気の一部は屋外に排気されて換気が行われるので、湿気等を排出して、洗濯物の乾燥を促進することができる。
【０１５１】
ここで、乾燥運転モード時の風路・風向切替ダンパ１２の動作は、可動範囲において連続して往復運動をしても良いし、可動範囲を任意に分割して、移動と停止を繰り返す断続的な往復運動をしても良い。
【０１５２】
なお、副吸込ダクトジョイント２６に図示しないダンパを備えることで、乾燥運転モードでも、洗面所５８からの空気の吸い込みを停止した運転が実行可能である。
【０１５３】
浴室空調装置１Ｂの制御部６１Ｂは、操作部６２における操作で涼風運転モードが選択されると、ダンパモータ１３を駆動して、風路・風向切替ダンパ１２を図５に二点鎖線で示す循環換気位置にする。
【０１５４】
そして、循環・換気ファンモータ５を駆動して羽根車４を回転させると共に、換気ファンモータ２０を駆動して羽根車１９を回転させる。なお、涼風運転モードでは、ヒータ１５には通電しない。
【０１５５】
浴室空調装置１Ｂは、循環・換気ファン部２の羽根車４が回転すると、上述したように、フロントパネル１６の吸込口グリル１６ａから、浴室５１の空気が循環・換気ファン吸込口７へと吸い込まれる。
【０１５６】
また、換気ファン部１７の羽根車１９が回転すると、換気ファン吸込口２２から空気が吸い込まれる。
【０１５７】
さて、涼風運転モードでは、風路・風向切替ダンパ１２が循環換気位置にあるので、浴室空調装置１Ｂでは、循環・換気ファン吸込口７から循環吹出口９へ連通した循環風路１４ａと、循環・換気ファン吸込口７から排気口２４へ連通した換気風路１４ｂの双方が形成されている。
【０１５８】
これにより、循環・換気ファン部２の羽根車４が回転することで循環・換気ファン吸込口７から吸い込まれた浴室５１の空気の一部は、循環風路１４ａによって循環吹出口９へと流れる。涼風運転モードでは、ヒータ１５に通電されないので、吹出口グリル１６ｂから、浴室５１内の温度に応じた風（涼風）が洗い場５３に向けて吹き出される。
【０１５９】
また、涼風運転モードでは、循環・換気ファン部２の羽根車４が回転することで循環・換気ファン吸込口７から吸い込まれた浴室５１の空気の残部は、排気吹出口１８を通り、換気ファン部１７の羽根車１９が回転することで換気ファン吸込口２２へと吸い込まれる。そして、排気口２４に取り付けられた排気ダクトジョイント１１を介して接続される排気ダクト５７を通って屋外グリル５７ａから屋外へ排気される。
【０１６０】
また、浴室５１内の空気が屋外に排出されることで、図６に示す浴室ドア５９等に設けた空気取入口５９ａから、隣接する室内である洗面所５８等の空気が吸い込まれる。
【０１６１】
更に、換気ファン部１７の羽根車１９が回転することで、副吸込口グリル６０ａから副吸込口ダクト６０を介して副吸込口２５へ洗面所５８の空気が吸い込まれ、排気風路１４ｂを流れる空気と合流して屋外へ排気される。
【０１６２】
従って、涼風運転モードでは、洗い場５３に向けて涼風を吹き出すことで、洗い場５３に居る入浴者に涼風を当てて、夏季等に扇風機として利用することができる。また、浴室５１内の空気の一部は屋外に排気されて換気が行われるので、湿気等を排出することができる。
【０１６３】
なお、涼風運転モードでは、風路・風向切替ダンパ１２を循環位置とすると共に、換気ファンモータ２０を停止して、換気を行わずに浴室５１内で循環させる空気で涼風の吹き出しを行っても良い。また、風路・風向切替ダンパ１２を循環位置と循環換気位置の間で往復させて、広範囲に涼風を吹き出すようにしても良い。
【０１６４】
＜第２の実施の形態の浴室空調装置の効果＞
以上説明した第２の実施の形態の浴室空調装置１Ｂでは、循環・換気ファン部２と換気ファン部１７を備えたので、第１の実施の形態の浴室空調装置１Ａで得られる効果に加えて、浴室５１と、浴室５１以外の空間を含めた多室の換気が可能となる。
【０１６５】
これにより、浴室５１の暖房や洗濯物の乾燥等を行いながら、他室の換気が可能となって、浴室空調装置１Ｂが設置された建物の２４時間換気が可能となる。
【０１６６】
また、換気ファン部１７による浴室５１からの空気の吸込口を、循環・換気ファン部２の吸込口グリル１６ａと共用としたので、換気ファン部１７側のファン回転音が浴室５１側に漏れにくい構成となり、静音化が図れる。
【産業上の利用可能性】
【０１６７】
本発明は、浴室に設置され、浴室の暖房や、洗濯物等の乾燥を行う機能を有する浴室空調装置に適用される。
【図面の簡単な説明】
【０１６８】
【図１】第１の実施の形態の浴室空調装置の一例を示す構成図である。
【図２】第１の実施の形態の浴室空調装置の一例を示す構成図である。
【図３】第１の実施の形態の浴室空調装置の設置例を示す浴室の構成図である。
【図４】第１の実施の形態の浴室空調装置の制御系の一例を示す機能ブロック図である。
【図５】第２の実施の形態の浴室空調装置の一例を示す構成図である。
【図６】第２の実施の形態の浴室空調装置の設置例を示す浴室の構成図である。
【図７】第２の実施の形態の浴室空調装置の制御系の一例を示す機能ブロック図である。
【符号の説明】
【０１６９】
１Ａ，１Ｂ・・・浴室空調装置、２・・・循環・換気ファン部、３Ａ，３Ｂ・・・本体部、４・・・羽根車、５・・・循環・換気ファンモータ、６・・・循環・換気ファンケース、７・・・循環・換気ファン吸込口、８・・・吹出風路形成部、９・・・循環吹出口、１０・・・排気口、１１・・・ダクトジョイント、１２・・・風路・風向切替ダンパ、１３・・・ダンパモータ、１４ａ・・・循環風路、１４ｂ・・・換気風路、１５・・・ヒータ、１６・・・フロントパネル、１６ａ・・・吸込口グリル、１６ｂ・・・吹出口グリル、１７・・・換気ファン部、１８・・・排気吹出口、１９・・・羽根車、２０・・・換気ファンモータ、２１・・・換気ファンケース、２２・・・換気ファン吸込口、２３・・・吹出風路形成部、２４・・・排気口、２５・・・副吸込口、２６・・・副吸込ダクトジョイント、２７・・・副吸込風路、５１・・・浴室、５２・・・浴槽、５３・・・洗い場、５４・・・ランドリパイプ、５６・・・天井パネル、６１Ａ，６１Ｂ・・・制御部、６２・・・操作部
【図１】
2007071402.tif 000003
【図２】
2007071402.tif 000004
【図３】
2007071402.tif 000005
【図４】
2007071402.tif 000006
【図５】
2007071402.tif 000007
【図６】
2007071402.tif 000008
【図７】
2007071402.tif 000009